(57)【要約】【課題】とくに高風圧時においても屋内への雨水の浸入を防止でき、水密性の高い構造を提供できる。【解決手段】枠体１の上枠１１には、障子２を案内する案内レール１１２が設けられ、障子２の上框２１は、案内レール１１２の屋内外方向の両側に配置され、少なくとも屋内側に設けられる止水パッキン２１７を介して案内レール１１２に係合する一対の外框壁２１１及び内框壁２１２を有し、一対の外框壁２１１及び内框壁２１２同士の間には、案内レール１１２を下方から跨ぐように第１側板３１Ａと第２側板３１Ｂとを有するＵ字状の振止め部材３が設けられた構成の建具を提供する。【選択図】図４
2020122377.tif 000002
【特許請求の範囲】
【請求項１】
枠体と、該枠体の上枠に設けられる案内レールに案内される少なくとも１枚の障子と、を備えた建具であって、
前記障子の上框には、前記案内レールの屋内外方向の両側に配置され、少なくとも屋内側に設けられる気密材を介して前記案内レールに係合する一対のガイド片を有し、
前記一対のガイド片同士の間には、前記障子の屋内側への移動を規制する移動規制部を有する振止め部材が設けられ、
前記移動規制部は、前記一対のガイド片のうち少なくとも屋外側のガイド片に設けられていることを特徴とする建具。
【請求項２】
前記移動規制部には、前記案内レールに向けて突出する押圧片が設けられている請求項１に記載の建具。
【発明の詳細な説明】
【技術分野】
【０００１】
本発明は、建具に関するものである。
【背景技術】
【０００２】
従来、引き違い窓等の建具として、例えば特許文献１に示されるような、枠体の上枠に障子を案内する案内レールが設けられた構造としているのが一般的である。このような引き違い窓では、障子の上框において案内レールの屋内外方向の両側にそれぞれ隙間を開けた状態で案内レールに沿ってスライド可能に係合する一対のガイド片が設けられている。ガイド片には案内レールに気密な状態で接触させる気密材が設けられ、これにより案内レールと上框との間に雨水が流通することを防いでいる。
【先行技術文献】
【特許文献】
【０００３】
【特許文献１】特開２０１３−０６７９７９号公報
【発明の概要】
【発明が解決しようとする課題】
【０００４】
しかしながら、従来の引き違い窓では、台風時などで例えば１５００Ｐａもの高風圧が窓に作用すると、障子が風圧によって室内側に押し込まれてしまう。この場合には、上框の屋外側のガイド片に設けられて気密材が圧し潰され、その屋外側のガイド片が案内レールに当たるまで屋内側に寄り、屋内側の水密材と案内レールとの間に隙間が生じることになる。そのため、案内レールの屋内側に生じた隙間を通じて強い空気の流れができ、その空気とともに屋内側に水が浸入するという問題があった。
【０００５】
そこで、本発明は、上記事情に鑑みてなされたものであり、とくに高風圧時においても屋内への雨水の浸入を防止できる水密性の高い建具を提供する。
【課題を解決するための手段】
【０００６】
上記目的を達成するために、本発明は以下の手段を採用している。
すなわち、本発明に係る建具は、枠体と、該枠体の上枠に設けられる案内レールに案内される少なくとも１枚の障子と、を備えた建具であって、前記障子の上框には、前記案内レールの屋内外方向の両側に配置され、少なくとも屋内側に設けられる気密材を介して前記案内レールに係合する一対のガイド片を有し、前記一対のガイド片同士の間には、前記障子の屋内側への移動を規制する移動規制部を有する振止め部材が設けられ、前記移動規制部は、前記一対のガイド片のうち少なくとも屋外側のガイド片に設けられていることを特徴としている。
【０００７】
本発明に係る建具によれば、障子の上框に設けられる一対のガイド片同士の間で、少なくとも屋外側のガイド片に移動規制部を有する振止め部材が設けられているので、障子が例えば台風等で高風圧を屋外から受けたときに、振止め部材の移動規制部が案内レールに当接する。これにより、障子が屋内側へ押し込まれる方向に移動することを規制でき、障子と案内レールとの間の間隔を維持することができる。そのため、強風によって障子が押されて屋内側の気密材と案内レールとの間に隙間が生じることがなくなることから、その隙間を通じて雨水が室内側に浸入することを防止できる。
【０００８】
また、本発明に係る建具では、前記移動規制部には、前記案内レールに向けて突出する押圧片が設けられていることが好ましい。
【０００９】
この場合には、移動規制部に押圧片を設けておくことで、押圧片と案内レールとの間の間隔を小さくすることができ、強風時における障子の屋内外方向の振れを小さく抑えることができる。
【発明の効果】
【００１０】
本発明に係る建具によれば、とくに高風圧時においても屋内への雨水の浸入を防止でき、水密性の高い構造を提供できる。
【図面の簡単な説明】
【００１１】
【図１】本発明の一実施形態による引き違い窓を屋内側から見た正面図である。
【図２】図１の引き違い窓における外障子と内障子の縦断面図である。
【図３】障子の振止め部材を備えた上框の要部を上方から見た平面図である。
【図４】図２に示す上框の要部拡大図である。
【図５】上框に収納される振止め部材の斜視図である。
【図６】変形例による振止め部材を備えた上框の構成を示す要部拡大図であって、図４に対応する図である。
【発明を実施するための形態】
【００１２】
以下、本発明の一実施形態による建具について、図面に基づいて説明する。
【００１３】
図１に示すように、本実施形態による引き違い窓１００（建具）は、建築物の開口部に設けられ、四角形枠状に形成された枠体１と、枠体１に対して左右方向にスライド可能に設けられた一対の障子２（２Ａ、２Ｂ）と、を備えた２枚建ての引き違い窓を構成している。ここで、屋外側に位置する障子を外障子２Ａといい、屋内側に位置する障子を内障子２Ｂという。
【００１４】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００１５】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。
本実施形態では、引き違い窓１００はアルミ樹脂複合サッシを対象としている。枠体１は、金属製の縦枠１３に対して金属製の上枠１１及び下枠１２の端部を突き当ててビス等の固定具で固定されている。枠体１は、アルミニウム製の押出成形部材で構成されている。
【００１６】
障子２Ａ、２Ｂは、枠体１の屋外側及び屋内側にそれぞれ設けられている。外障子２Ａ及び内障子２Ｂは、それぞれ障子２Ａ、２Ｂを閉じた状態で、枠体１内を閉塞するように配置されている。各障子２は、四方枠状に形成された框体と、框体内に納められた複層ガラス２０と、を有している。
【００１７】
框体は、左右方向に延在する上框２１及び下框２２と、上框２１の両端部と下框２２の両端部とをそれぞれ連結し上下方向に延在する召合せ框２３及び戸先框２４（なお、上框２１、下框２２、召合せ框２３及び戸先框２４のそれぞれを単に「框」と称することがある。）と、を有している。
【００１８】
本実施形態では、框体は、アルミニウム製の押出成形部材で構成されており、屋内側面が樹脂で覆われている。上框２１、下框２２は、召合せ框２３及び戸先框２４に両端部が突き当てられて枠組みされており、ビス等の固定具で固定されている。下框２２には、下枠１２に沿って左右方向に走行可能な戸車２５（図２参照）が設けられている。
【００１９】
図２に示すように、上枠１１は、左右方向に延びる上枠壁部１１１と、上枠壁部１１１から下方に延びるととともに左右方向に沿って延在し屋内外方向に間隔をあけて設けられる一対の案内レール１１２（１１２Ａ、１１２Ｂ）と、を有している。屋外側の外案内レール１１２Ａには、外障子２Ａが左右方向にスライド自在に案内されるようになっている。屋内側の内案内レール１１２Ｂには、内障子２Ｂが左右方向にスライド自在に案内されるようになっている。
【００２０】
下枠１２は、左右方向に延びる上段部１２１及び下段部１２２と、下段部１２２から上方に延びる外レール案内壁１２３と、上段部１２１から上方に延びる内レール案内壁１２４と、を有している。外レール案内壁１２３と内レール案内壁１２４の上部分には、それぞれ外障子２Ａと内障子２Ｂの下端に設けられる戸車２５が左右方向に走行自在に案内されるようになっている。
【００２１】
図２に示すように、外障子２Ａ及び内障子２Ｂに設けられる複層ガラス２０は、屋外側に配置される外ガラスと屋内側に配置される内ガラスとがスペーサを介して一体に設けられている。
各框２１〜２４には、それぞれ複層ガラス２０の端部を保持するガラス保持溝が形成されている。複層ガラス２０の四辺の端部は、ガラス保持溝内に嵌め込まれている。複層ガラス２０の周縁部において、屋内側の面は、框に係止された押縁によって押さえられている。
【００２２】
次に、各框２１〜２４について説明するが、外障子２Ａと内障子２Ｂは基本的に同様な構造であるので、内障子２Ｂについて詳細に説明する。
【００２３】
内障子２Ｂの上框２１は、図４に示すように、左右方向に沿って延びる外框壁２１１（ガイド片）と内框壁２１２（ガイド片）とが各面方向を鉛直方向に向けた状態で互いに間隔をあけて対向して配置されている。
外框壁２１１と内框壁２１２との間には、中空状に形成され、左右方向に延びる框ホロー部Ｓ２１が形成されている。框ホロー部Ｓ２１は、屋外側の外框壁２１１と屋内側の内框壁２１２とを連結する上連結壁２１３と下連結壁２１４とにより囲まれた空間を形成している。また、外框壁２１１、内框壁２１２、上連結壁２１３及び下連結壁２１４は、上框２１の左右方向の略全長に沿って形成されている。
【００２４】
下連結壁２１４の下側には、外框壁２１１と内框壁２１２とによってガラス保持溝２１５（図２参照）が形成されている。換言すると、下連結壁２１４には、下側を向く下面に沿って複層ガラス２０の上端を保持するガラス保持溝２１５が形成されるとともに、上側を向く上面２１４ａに沿って框ホロー部Ｓ２１が形成されている。
外框壁２１１及び内框壁２１２の上端は、案内レール１１２に対して屋内外方向の両側から止水パッキン２１７（気密材）を介して係合している。
【００２５】
図３及び図４に示すように、外框壁２１１と内框壁２１２との間には、障子２の屋内側への移動を規制するとともに、案内レール１１２を下方から跨ぐように配置されるＵ字状の振止め部材３が設けられている。振止め部材３は、少なくとも上框２１の長手方向の中央に設けられている。
【００２６】
振止め部材３は、図４及び図５に示すように、互いに平行に間隔をあけて上框２１の左右方向に沿って長く延びる一対の側板３１、３１と、一対の側板３１、３１の下端同士を連結する連結板３２と、連結板３２の長さ方向の両端に設けられ上框２１の上端に係止する係止片３３と、を備えている。ここで、一対の側板３１のうち屋外側に設けられるものを第１側板３１Ａ（移動規制部）とし、屋内側に設けられるものを第２側板３１Ｂとする。すなわち、振止め部材３の第１側板３１Ａは、外框壁２１１に対して係止して屋内外方向に移動しない状態で固定されている。
【００２７】
係止片３３は、連結板３２の幅方向両端部３２ａ、３２ａからそれぞれ上方に突出している。一対の係止片３３、３３は、それぞれの上端部分より互いに離反する方法に向けて突となる凸部３４が形成されている。一対の係止片３３、３３は、各基端部３３ｂを中心に互いに離反する方向に付勢するように弾性変形可能に設けられていて、レール凹溝２１０内に収納された姿勢で、上框２１の外框壁２１１と内框壁２１２を押圧した状態で係止されている。このとき振止め部材３は、上框２１における止水パッキン２１７を支持する部分の下方に凸部３４が係止して、上下方向の移動が規制された状態で位置決めされている。
【００２８】
第１側板３１Ａの上部には、案内レール１１２のレール側面を向くように突出する押圧片３５が形成されている。一方、屋内側の第２側板３１Ｂには、前記押圧片３５が形成されていない。
本実施形態の振止め部材３は、台風時のように屋外からの高風圧（例えば１５００Ｐａの風圧）を考慮した仕様の場合に採用することができる。すなわち、案内レール１１２に対して障子２が屋内側（図４の矢印Ｅ１方向）に押されると、案内レール１１２に対して屋外側に配置される押圧片３５が案内レール１１２の屋外側の面に当接し、障子２の屋内側への移動を規制できる構成になっている。
【００２９】
内障子２Ｂの下框２２は、図２に示すように、左右方向に沿って延びる外框壁２２１と内框壁２２２とが各面方向を鉛直方向に向けた状態で互いに間隔をあけて対向して配置されている。外框壁２２１と内框壁２２２との間には、中空状に形成され、左右方向に延びる框ホロー部Ｓ２２が形成されている。框ホロー部Ｓ２２は、屋外側の外框壁２２１と屋内側の内框壁２２２とを連結する上連結壁２２３と下連結壁２２４とにより囲まれた空間を形成している。また、外框壁２２１、内框壁２２２、上連結壁２２３及び下連結壁２２４は、下框２２の左右方向の略全長に沿って形成されている。
【００３０】
上連結壁２２３の上側には、外框壁２２１と内框壁２２２とによってガラス保持溝２２５が形成されている。換言すると、上連結壁２２３には、上側を向く上面に沿って複層ガラス２０の下端を保持するガラス保持溝２２５が形成されるとともに、下側を向く下面に沿って框ホロー部Ｓ２２が形成されている。
框ホロー部Ｓ２２において、上連結壁２２３の下面２２３ｂに戸車２５が回転可能に支持されている。内障子２Ｂの戸車２５は、内レール案内壁１２４に転動可能に載置されている。
【００３１】
図１に示すように、内障子２Ｂの召合せ框２３は、外障子２Ａ及び内障子２Ｂが閉じている状態で一対の縦枠１３、１３の間の略中央部に配置されている。戸先框２４は、外障子２Ａ及び内障子２Ｂを閉じている状態で一対の縦枠１３、１３に近接して配置されている。召合せ框２３及び戸先框２４は、図１に示すように、それぞれ上框２１及び下框２２の端面が突き合てられてビス止めされている。
【００３２】
次に、本実施形態による引き違い窓１００の作用について、図面に基づいて詳細に説明する。
図４及び図６に示すように、本実施形態による引き違い窓１００では、障子２の上框２１に設けられる一対の外框壁２１１及び内框壁２１２同士の間で、屋外側の外框壁２１１に振止め部材３の第１側板３１Ａが設けられているので、障子２が図４に示すように台風等で高風圧を屋外から受けたときに、振止め部材３の第１側板３１Ａの押圧片３５が案内レール１１２に当接する。これにより、障子２が屋内側へ押し込まれる方向に移動することを規制でき、障子２と案内レール１１２との間の間隔を維持することができる。そのため、強風によって障子２が押されて屋内側の止水パッキン２１７と案内レール１１２との間に隙間が生じることがなくなることから、その隙間を通じて雨水が室内側に浸入することを防止できる。
【００３３】
また、本実施形態では、第１側板３１Ａに押圧片３５を設けておくことで、押圧片３５と案内レール１１２との間の間隔を小さくすることができ、強風時における障子２の屋内外方向の振れを小さく抑えることができる。
【００３４】
さらに、本実施形態では、強風時に障子２が屋内側に押された際に、隙間が生じやすい上框２１における長手方向の中央に振止め部材３が設けられているので、より確実に障子２の屋内外方向の振れを防止することができる。
【００３５】
このように本実施の形態では、とくに高風圧時においても屋内への雨水の浸入を防止でき、水密性の高い構造を提供できる。
【００３６】
以上、本発明による建具の実施形態について説明したが、本発明は上記の実施形態に限定されるものではなく、その趣旨を逸脱しない範囲で適宜変更可能である。
【００３７】
例えば、本実施形態では、２枚建ての引き違い窓の一例を示しているが、２枚建てに限定されることはなく、例えば３枚建てや４枚建ての引き違い窓の上框、あるいは片引き窓の上框に振止め部材を適用することも可能であり、少なくとも１枚の障子を備えた建具に適用できる。
【００３８】
また、振止め部材は、少なくとも上框の長手方向の中央に設けられていることが好ましいが、この位置であることに制限されることはない。つまり、障子の左右方向の両端（すなわち、召合せ框側や戸先框側）に屋内外方向に振れにくい機構が備えられているものがあり、その場合には中央に振止め部材を設けることが好適である。上記振れにくい機構が設けられていない場合には、上框の長手方向の両端にも振止め部材を設けるようにしてもよい。さらに、障子２に設ける振止め部材３の数量も適宜設定することができる。
【００３９】
さらに、本実施形態では、振止め部材３の第１側板３１（移動規制部）が案内レール１１２に対して屋外側のみに設けた構成としているが、少なくとも屋外側に設けられていればよく、例えば図６に示すように、第１側板３１Ａと第２側板３１Ｂの両方に押圧片３５が設けられる構成であってもよい。
また、振止め部材３押圧片３５を省略することも可能である。
【００４０】
さらにまた、本実施形態では、外框壁２１１と振止め部材３の第１側板３１Ａとが別体で設けられているが、一体的に設けられていてもよい。
また、本実施形態では、振止め部材の形状として、案内レール１１２を下方から跨ぐようなＵ字状に形成されているが、このような構成に限定されることはない。例えば、案内レール１１２を挟んで屋内外方向の両側にそれぞれ別体の振止め部材が設けられていてもよいし、屋内側に移動規制部（第２側板３１Ｂ）を設けない構成であってもよい。
【００４１】
さらに振止め部材３の上框２１に対する係止手段として、一対の係止片３３を設ける形態としているが、これに限定されることはなく、他の係止手段を採用することも可能である。
【００４２】
その他、本発明の趣旨を逸脱しない範囲で、上記した実施形態における構成要素を周知の構成要素に置き換えることは適宜可能である。
【符号の説明】
【００４３】
１００  引き違い窓（建具）
１  枠体
２  障子
２Ａ  外障子
２Ｂ  内障子
３  振止め部材
１１  上枠
１２  下枠
１３  縦枠
２１  上框
２２  下框
２３  召合せ框
２４  戸先框
３１Ａ  第１側板（移動規制部）
３１Ｂ  第２側板
３２  連結板
３３  係止片
３５  押圧片
１１２（１１２Ａ、１１２Ｂ）  案内レール
２１１  外框壁（ガイド片）
２１２  内框壁（ガイド片）
２１７  止水パッキン（気密材）
【図１】
2020122377.tif 000003
【図２】
2020122377.tif 000004
【図３】
2020122377.tif 000005
【図４】
2020122377.tif 000006
【図５】
2020122377.tif 000007
【図６】
2020122377.tif 000008